(57)【特許請求の範囲】
【請求項１】
遮断器内で取り付けるための接触フィンガーモジュール（１）が、少なくとも１つの接触フィンガー（２）及び開閉器モジュールの長手方向（ｘ）に延在する少なくとも１つの板ばね（３）を備え、前記接触フィンガー（２）は、１つの接触片（４）及び前記長手方向（ｘ）に延在する１つのフレキシブルな接触片支持部（５）を有し、この接触片支持部（５）は、１つの固定端部（５１）及び１つの接触端部（５２）を有し、前記接触片（４）が、前記開閉器モジュールの変位方向（ｚ）に対抗する前記接触片支持部（５）から突出し、かつ前記接触端部（５２）でこの接触片支持部（５）に接合されていて、前記板ばね（３）は、固定端部（３１）を有し、かつこの固定端部（３１）で前記接触片支持部（５）の固定端部（５１）に接合されていて、前記接触片（４）の前記変位方向（ｚ）の変位に対抗する力が、前記板ばね（３）によって発生可能であるように、この板ばね（３）は、前記接触片（４）を押圧する、当該接触フィンガーモジュール（１）において、
前記長手方向（ｘ）に指向している前記板ばね（３）は、前記接触片（４）の前記長手方向の座標の少なくとも中心（ｘ１）まで前記長手方向（ｘ）に延在すること、
前記板ばね（３）は、前記接触フィンガー（２）から前記長手方向（ｘ）に突出していること、及び
前記板ばね（３）は、この板ばね（３）の前記固定端部（３１）から隔てられた端部（３２）で前記変位方向（ｚ）に対して湾曲されていることを特徴とする接触フィンガーモジュール（１）。
【請求項２】
前記長手方向（ｘ）に指向している前記板ばね（３）は、前記接触フィンガー（２）の前記長手方向の座標の少なくとも端部（ｘ０）まで前記長手方向（ｘ）に延在することを特徴とする請求項１に記載の接触フィンガーモジュール（１）。
【請求項３】
前記板ばね（３）から前記接触フィンガー（２）に力が加わる前記長手方向（ｘ）に対する地点（ｘＦ）が、前記接触片（４）の前記長手方向の座標の中心（ｘ１）にあるか又は前記固定端部（３１）から隔てられたこの中心の側方にあることを特徴とする請求項１又は２に記載の接触フィンガーモジュール（１）。
【請求項４】
前記板ばね（３）は、この板ばね（３）の固定端部（３１）から隔てられた端部（３２）で前記変位方向（ｚ）に対して少なくとも１８０°だけ湾曲されていることを特徴とする請求項１〜３のいずれか１項に記載の接触フィンガーモジュール（１）。
【請求項５】
前記板ばね（３）は、この板ばね（３）の固定端部（３１）から隔てられた端部（３２）で前記変位方向（ｚ）に対して１８５°以上湾曲されていることを特徴とする請求項１〜３のいずれか１項に記載の接触フィンガーモジュール（１）。
【請求項６】
前記フレキシブルな接触片支持部（５）は、複数の導電性の薄板から成る薄板スタック（５）を有し、前記薄板の厚さは、０．１ｍｍ〜０．７ｍｍであることを特徴とする請求項１〜５のいずれか１項に記載の接触フィンガーモジュール（１）。
【請求項７】
前記フレキシブルな接触片支持部（５）は、銀めっきした銅の薄板から成る薄板スタック（５）を有し、前記薄板の厚さは、０．１ｍｍ〜０．７ｍｍであることを特徴とする請求項６に記載の接触フィンガーモジュール（１）。
【請求項８】
前記フレキシブルな接触片支持部（５）は、前記変位方向（ｚ）に前記接触片（４）の上に配置されていて、この接触片支持部（５）及びこの接触片（４）は、ラジアルリベット（６）によって互いに接して固定されていることを特徴とする請求項１〜７のいずれか１項に記載の接触フィンガーモジュール（１）。
【請求項９】
２つ又は３つの接触フィンガー（２，２′）が、接触片（４，４′）とフレキシブルな接触片支持部（５，５′）を少なくとも１つずつ有し、これらの接触片支持部（５，５′）は、１つの共通の固定端部（５１）を有し、２つ又は３つの板ばね（３，３′）が設けられていて、これらの板ばね（３；３′）は、１つの共通の固定端部（３１）を有し、前記接触フィンガー（２；２′）の前記接触片（４，４′）の前記変位方向（ｚ）の変位に対抗して作用する力が、前記板ばね（３，３′）によって発生可能であるように、それぞれの板ばね（３，３′）が、それぞれの接触フィンガー（２；２′）と連動し、前記長手方向（ｘ）に指向している前記それぞれの板ばね（３，３′）は、前記それぞれの接触片（４，４′）の前記長手方向の座標の少なくとも前記中心（ｘ１）まで前記長手方向（ｘ）に延在することを特徴とする請求項１〜８のいずれか１項に記載の接触フィンガーモジュール（１）。
【請求項１０】
取外し可能な電気接触子の一部として作用する多数の接触フィンガーモジュール（１）を有する遮断器において、
請求項１〜９のいずれか１項に記載の接触フィンガーモジュールが設けられていることを特徴とする遮断器。
【請求項１１】
少なくとも１つの駆動ハウジング（１０ａ；１０ｂ）、１つの移動可能な分離管（１１）及び取外し可能な電気接触子の一部として分離管（１１）と駆動ハウジング（１０ａ；１０ｂ）との間で作用し、前記駆動ハウジング（１０ａ；１０ｂ）又は前記分離管（１１）に配置された多数の接触フィンガーモジュール（１）から構成された遮断器用の開閉器モジュールにおいて、
請求項１〜９のいずれか１項に記載の接触フィンガーモジュール（１）が設けられていることを特徴とする開閉器モジュール。
【発明の詳細な説明】
【技術分野】
【０００１】
本発明は、大電力遮断器、特に開閉器で使用されるような高電圧遮断器技術の分野、特に接触フィンガーに関する。本発明は、遮断器内で取り付けるための接触フィンガーモジュールが、少なくとも１つの接触フィンガー及び開閉器モジュールの長手方向に延在する少なくとも１つの板ばねを備え、前記接触フィンガーは、１つの接触片及び長手方向に延在する１つのフレキシブルな接触片支持部を有し、この接触片支持部は、１つの固定端部及び１つの接触端部を有し、接触片が、開閉器モジュールの変位方向に対抗する接触片支持部から突出し、かつ接触端部でこの接触片支持部に接合されていて、板ばねは、固定端部を有し、かつこの固定端部で接触片支持部の固定端部に接合されていて、接触片の変位方向の変位に対抗する力が、板ばねによって発生可能であるように、この板ばねは、接触片を押圧する当該接触フィンガーモジュール、開閉器モジュール及び大電力遮断器に関する。
【背景技術】
【０００２】
接触フィンガーモジュールが、従来の技術から公知である。この接触フィンガーモジュールは、長手方向に延在する板ばね及び接触フィンガーから構成される。この接触フィンガーは、接触片及び長手方向に延在するフレキシブルな接触片支持部を有する。大出力遮断器、例えば発電機の開閉器では、このような接触フィンガーモジュールが、開閉器モジュール内で分離管に接触させるために使用される。
【０００３】
フレキシブルな接触片支持部の接触片が、接触フィンガーの固定端部の反対側の端部で変位方向に突出する。この変位方向は、長手方向に対してほぼ垂直に指向されている。フレキシブルな接触支持部と接触片とが、接触片支持部を貫通しかつ接触片の中心に沿って延在するねじ結合を用いて互いに接合されている。フレキシブルな接触片支持部の接触片の反対側の側面上に配置された絶縁板が、接触片とねじ接合部分のねじの頭部との間に配置されていて、長手方向に接触片の反対側で固定端部方向に延在する。
【０００４】
板ばねは、そのほぼ全長にわたってアーチ状に湾曲していて、取り付けた状態では固定端部から長手方向に接触片の前まで及び絶縁版の上まで延在する。この取り付けた状態では、板ばねが、絶縁板上に設置されている。その結果、電流が板ばねを通じて接触片に流れることなしに、接触片の変位方向の変位に逆らう力が発生可能である。板ばねは、絶縁板上に設置されている板ばねの端部にフレキシブルな接触片支持部から反れているベンドを有する。これによって、この取り付けられた状態で長手方向に対して約２０°の角度を成し接触片支持部から反れている板ばねの端部が形成される。
【０００５】
このような接触フィンガーモジュールには、望まない電場制御（Ｆｅｌｄｓｔｅｕｅｒｕｎｇ）の欠点がある。何故なら、接触片及びフレキシブルな接触片支持部，ねじ接合部のねじの頭部及び接触片支持部から反れている板ばねの端部の固定端部の反対側の接触端部が、接触フィンガーモジュールの縁部と端部に高い電場を呈する不均一な（電界）強度分布（Ｆｅｌｄｖｅｒｔｅｉｌｕｎｇ）を招くからである。
【発明の開示】
【発明が解決しようとする課題】
【０００６】
本発明の課題は、上述した欠点のない冒頭で述べた種類の接触フィンガーモジュールを提供することにある。特に、良好な場制御を接触片の領域内で実現しなければならない。
【課題を解決するための手段】
【０００７】
この課題は、長手方向ｘに指向している板ばね３が、接触片４の長手方向の座標の少なくとも中心ｘ１まで前記長手方向ｘに延在すること、板ばね３は、接触フィンガー２から長手方向ｘに突出していること、及び、板ばね３は、この板ばね３の固定端部３１から隔てられた端部３２で変位方向ｚに対して湾曲されていることによって解決される。
【０００８】
大電力遮断器内で取り付けるための本発明の接触フィンガーモジュールは、少なくとも１つの接触フィンガーを及び長手方向に延在する少なくとも１つの板ばねを備える。
当該接触フィンガーは、１つの接触片及び長手方向に延在する１つのフレキシブルな接触片支持部を有し、この接触片支持部は、１つの固定端部及び１つの接触端部を有し、この場合、接触片は、開閉器モジュールの変位方向に対抗する接触片支持部から突出し、かつこの接触端部でこの接触片支持部に接合されている。
当該板ばねは、固定端部を有し、かつこの固定端部で取り付けられた状態で接触片支持部の固定端部に接合されている。この場合、接触片の変位方向の変位に対抗する力が板ばねによって発生可能であるように、この板ばねが形成され取り付けた状態で配置されている。
【０００９】
本発明の接触フィンガーモジュールは、長手方向に指向している板ばねが取り付けられた状態で接触片のこの長手方向の座標の少なくとも中心までこの長手方向に延在することを特徴とする。
【００１０】
これによって、改善された電場制御が、接触片の領域内で実現される。接触端部の近くの接触フィンガーモジュールの角又は縁部で発生する電界強度のピークの少なくとも一部が抑えられる。沿面放電の危険が低下する。
【００１１】
一方の接触片と一緒に取外し可能な電気接触を形成する他方の接触片に対するこの一方の接触片の十分な接触圧力を専ら生成するだけの代わりに、これに加えて板ばねは、電場制御の任務の解決手段をさらに担う。
【００１２】
本発明の接触フィンガーモジュールの好適な実施形では、長手方向に指向している板ばねが、取り付けられた状態で接触片のこの長手方向の座標の少なくとも端部まで長手方向に延在する。これによって、さらに良好な電場制御が実現される。
【００１３】
本発明の接触フィンガーモジュールのその他の好適な実施形では、板ばねから接触フィンガーに力が加わる長手方向に対する地点が、接触片の長手方向の座標の中心にあるか又は固定端部から隔てられたこの中心の側方にある。
【００１４】
これによって、接触片の比較的大きい接触圧力（大きい接触力）が、板ばねの僅かなプレストレスで実現される。この僅かなプレストレスは、接触片から構成された接触フィンガーに対する板ばねの圧力によって実現され得る。
【００１５】
本発明の接触フィンガーモジュールの別の好適な実施形では、板ばねが取り付けられた状態で長手方向に接触フィンガーから突出する。このことは、板ばねによる特に良好な電場制御を実現させる。
【００１６】
もう１つの好適な実施形では、板ばねがこの板ばねの固定端部の反対側の端部で変位方向に対して湾曲されているか又は少なくとも１８０°だけ変位方向に対して湾曲されている。こうして、板ばねの解放縁部で発生しうる電界ピークが大幅に抑制される。その結果、ほとんど均一な強度分布及びそれに応じて良好な電場制御が実現される。
【００１７】
特に好ましくは板ばねが、この板ばねの固定端部の反対側の端部で変位方向に対して少なくとも１８０°だけ、特に１８５°以上湾曲されている。こうして、板ばねの解放縁部で発生しうる電界ピークが特に良好に抑制される。その結果、ほとんど均一な強度分布及びそれに応じて特に良好な電場制御が実現される。
【００１８】
好ましくは板ばねが、取り付けられていない状態でこの板ばねの両端部間で湾曲されずに形成されている。特にこの板ばねは、この板ばねの固定端部でも湾曲されずに形成されている。このような板ばねは、簡単にかつ再生可能に製造できる。すなわち、許容差が狭く設定可能であり、接触力のばらつきが僅かに実現可能である。
【００１９】
それにもかかわらずこのような板ばねは、十分に大きい力を接触フィンガーに対して加えることができる。
【００２０】
非常に好ましくは、フレキシブルな接触片支持部が、導電性の複数の薄板から構成された薄板スタックを有する。好ましくは、０．１ｍｍ〜０．７ｍｍ、特に０．１５ｍｍ〜０．３ｍｍの厚さを有する銀めっきした銅の薄板が使用される。
【００２１】
特に好ましくは、接触片支持部が、変位方向に接触片の上に配置されている。この場合、接触片支持部と接触片とが、ラジアルリベットによって互いに接して固定されている。接触片とフレキシブルな接触片支持部との間の公知のねじ接合と比較して、（旋回継手としても公知の）ラジアルリベットが、より良好な長期間の安定性を有する。その結果、より一定な接触圧力が、接触フィンガーモジュールによって発生する接触の多数の開閉サイクルの間に実現される。さらにこの旋回継手は、固定ねじである。
【００２２】
本発明の特に好適な接触フィンガーモジュールでは、この接触フィンガーモジュールが２つ又は３つの接触フィンガーを有する。これらの接触フィンガーは、接触片とフレキシブルな接触片支持部を少なくとも１つずつ有する。これらの接触片支持部は、１つの共通の固定端部を有する。この場合、２つ又は３つの板ばねが設けられている。これらの板ばねは、１つの共通の固定端部を有する。この場合、接触フィンガーの接触片の変位方向の変位に逆らって作用する力が、この板ばねによって発生可能であるように、それぞれの板ばねがそれぞれの接触フィンガーと連動する。この場合、長手方向に指向しているそれぞれの板ばねは、取り付けられた状態でそれぞれの接触片のこの長手方向の座標の少なくとも中心までこの長手方向に延在する。
【００２３】
すなわち２つ又は３つの板ばねがそれぞれ、１つの特に一体的に形成された構造部材内で統合されていて、２つ又は３つの接触フィンガーがそれぞれ、１つの構造部材内で統合されている。この構造部材は、一体的に形成され得る。しかし好ましくは、接触フィンガーを含む構造部材が、２つ又は３つの接触片及び２つ又は３つのフレキシブルな接触片支持部を有する構造部材を備える。この構造部材は、例えば一体的に形成され得る。又は薄板スタックの場合では、好ましくは２つ又は３つのフレキシブルな接触片支持部の個々の薄板が一体的に形成されている。
【００２４】
これによって、接触フィンガーの簡単な取り付け及び接触フィンガーモジュールの簡単な製造が実現可能である。
【００２５】
取外し可能な電気接触子の一部として作用する多数の接触フィンガーモジュールを有する本発明の大電力遮断器は、本発明の接触フィンガーモジュールを特徴とする。これらの利点は上述されている。これらの接触フィンガーモジュールは、特に定格電流回路及び／又は大電力遮断器の開閉器で使用される。このような大電力遮断器によって切り換えられる一般的な定格電流及び定格電圧は、１ｋＶ〜５０ｋＶの場合に６ｋＡ〜４０ｋＡである。
【００２６】
本発明の大電力遮断器用の開閉器モジュールは、少なくとも１つの駆動ハウジング，１つの移動可能な分離管及び取外し可能な電気接触子の一部として分離管と駆動ハウジングとの間で作用し駆動ハウジング又は分離管に沿って配置された多数の接触フィンガーモジュールを有する。この開閉器モジュールは、本発明の接触フィンガーモジュールを有することを特徴とする。これらの利点は上述されている。
【００２７】
その他の好適な実施形及び利点は、従属請求項及び図面に記載されている。
【００２８】
以下に、本発明の構成を添付した図面中に示されている好適な実施の形態に基づいて詳しく説明する：
図中で使用される符号及びこれらの符号の意味は、符号リスト中に列記されている。基本的に、同じ部材又は同様に作用する部材は、同一符号で付記されている。以下で説明する実施の形態は、本発明の構成を例示的に示し、限定するものではない。
【発明を実施するための最良の形態】
【００２９】
図１は、閉じた状態の本発明の開閉器モジュールの一部を概略的に示す。この開閉器モジュールは、大電力遮断器、特に大電流遮断器又は発電機の遮断器の一部として設けられている。この開閉器モジュールは、開閉器駆動ハウジング１０ａ，消弧室駆動ハウジング１０ｂ及び分離管１１を有する。この開閉器モジュールは、大電力遮断器の能動部材に属する。両駆動ハウジング１０ａ，１０ｂは、接地電位にある地面１５上の絶縁体１３，１４に支承されている。
【００３０】
分離管１１は、目視可能な分離区間を形成するために使用される。この分離管１１は、概略的に示された駆動部１２によって図１中に示された長手方向ｘに対して平行に延在する軸線に沿って移動可能である。図１中に示された開閉器モジュールの閉じた状態では、分離管１１がその両端部で接触フィンガーモジュール１に電気接触している。多数の接触フィンガーモジュール１がそれぞれ、それぞれの駆動ハウジング１０ａ，１０ｂの周囲に沿ってこの開閉器駆動ハウジング１０ａと消弧室駆動ハウジング１０ｂとに接して配置されている。これらの接触フィンガーモジュールはそれぞれ、１つの接触片４を有する少なくとも１つの接触フィンガー２及び少なくとも１つの板ばね３を含む。これらの接触フォンがーモジュール１を図２，３中で詳しく説明する。
【００３１】
目視可能な分離区間を形成するため、分離管１１が、長手方向ｘに沿って移動する。その結果、消弧室駆動ハウジング側の接触フィンガーモジュール１が、もはや分離管１１と電気接触せず、十分なギャップが、駆動ハウジング１０ａ，１０ｂとの間に形成される。板ばね３は、閉じた状態で接触圧力を発生させる。接触片４が、これらの板ばねによって分離管１１に対して押圧される。
【００３２】
開閉器モジュールを閉じるため、開閉器管１１が長手方向ｘに移動する。その結果、開閉器駆動ハウジング側と消弧室駆動ハウジング側の接触フィンガーモジュール１が、分離管１１に接触する。
【００３３】
図１から分かるように、分離管１１は、開閉器駆動ハウジング側に長手方向ｘに沿って丸くてステップ状に延在する外径を効果的に有する。この開閉器駆動ハウジング側の接触フィンガーモジュール１も、閉じた状態で分離管１１に電気接触している；このとき、開閉器駆動ハウジング側の接触片４が、分離管の小さい外径の領域内の分離管１１に支持されている。板ばね３が、この状態で機械的なプレストレスを有する。接触片４が、このプレストレスによって分離管１１に対して押圧される。接触圧力に対するこの機械的なプレストレスの小さい比が非常に有効である。接触片４が、この接触圧力によって閉じた状態で板ばね３によって分離管に対して押圧される。これによって、接続時の分離管１１に対する差込み力が低減され、接触圧力が十分に大きい場合でも、接触片４の磨耗が減少する。力が板ばね３から接触フィンガー２に伝わる場所の接触端部側の配置を特に広くすることによって、この比が小さくなる。消弧室駆動ハウジング側の接触フィンガーモジュール１に関しては、力が板ばね３から接触フィンガー２内に伝わる場所の接触端部側の配置を特に広くすると、開閉器を閉じる時の機械的な差込み抵抗が低下する。何故ならこの場合でも、接触圧力に対する板ばね３によって作用する機械的なプレストレスの比が小さいからである。
【００３４】
全ての接触片４は、開閉器モジュールが閉じる時に変位方向に変位する。この変位方向は、半径方向に外側に向かって指向されていて、同時に長手方向ｘに対して垂直に指向されている。適切な接触圧力を作用させる接触力は、１つの接触片４当たり一般に２０Ｎ〜４０Ｎ、特に２５Ｎ〜３５Ｎである。これに対応するプレストレスの力は、１つの接触片４当たり一般に１０Ｎ〜２０Ｎ、特に１２Ｎ〜１８Ｎである。
【００３５】
本発明の大電力遮断器は、図１中に示したように開閉器モジュールを有する。この場合、好ましくは開閉器駆動ハウジング１０ａが電気回路網側に配置されている一方で、消弧室駆動ハウジング１０ｂは図示しなかった発電機側に配置されている消弧室に連結されている。
【００３６】
本発明の接触フィンガーモジュール１は、大電力遮断器内、例えば消弧室内やその他の特に定格電流回路内の別の切換箇所や接触箇所でも特に耐磨耗性の接触部分と組合わせて使用可能である。
【００３７】
図２中には、図１中に示された接触フィンガーモジュール１に相当する本発明の接触フィンガーモジュール１が、取り付けられた状態で断面で示されている。この接触フィンガーモジュール１は、ねじ連結部分９によって図示された開閉器駆動ハウジング１０ａだけに対して固定されている。このねじ連結部分９は、同時に板ばね３も接触フィンガー２に対して固定するか又は接触フィンガー２のフレキシブルな接触片支持部５に対して精確に固定する。板ばね３又はフレキシブルな接触片支持部５の端部３１，５１は、固定端部３１，５１と記す。板ばね３又はフレキシブルな接触片支持部５が、大電力スイッチに取り付けられている。板ばね３及び接触片支持部５はそれぞれ、固定手段ホルダ７，８として孔７，８を有する。フレキシブルな接触片支持部５は、長手方向ｘに延在し、かつｚで示した変位方向に延長部分をさらに有する。この延長部分は、選択的に形成されている、好ましくは１つ若しくは２つのキンクによって又は接触片支持部５の湾曲部分によって形成され、好ましくは変位方向ｚの下向きに指向されている。
【００３８】
接触片支持部５の接触端部５２と記されているもう１つの端部５２では、接触片支持部５が接触片４に接合されている。この接触片４は、変位方向ｚに接触片支持部５から突出している。接触片支持部５と接触片４との間の接合は、好ましくはラジアルリベット６とも記される旋回継手６によって形成される。その他の方式の接合も可能である。ワッシャ６ａが、フレキシブルな接触片支持部５とラジアルリベット６の頭部との間に配置され得る。
【００３９】
接触片４は、図示しなかった第２接触片に接触するために使用される。この第２接触片は、長手方向ｘに接触フィンガーモジュール１に対して相対移動可能であり、（閉じた状態で）接触片４に取外し可能に電気接触できる。図１の構造では、この第２接触片は、分離管１１によって形成される。電気接触（接続）を形成するため、接触片４は、長手方向に沿ったこの接触片の相対移動に基づいて長手方向ｘに対して垂直な変位方向ｚに変位する。この接触片４は、高導電性の材料、特に好ましくは銀めっきした銅から成る。
【００４０】
フレキシブルな接触片支持部５は、好ましくは薄板スタックとして形成されている。これらの薄板スタックは、高導電性の材料から成り、導電性の被覆部を有する。好ましくは薄板スタックは、好ましくは銀めっきされた銅から作られている。個々の薄板スタックは、好ましくは同様に形成されていて、一般に０．１ｍｍ〜０．７ｍｍ、特に０．１５ｍｍ〜０．３ｍｍの厚さを有する。こうして、高導電性のフレキシブルな接触片支持部５の適切な弾性変形の可能性が実現され得る。
【００４１】
好ましくは金属製の、特に鋼製の板ばね３が、接触片４の反対側のフレキシブルな接触片支持部５上に配置されている。さらにこの接触片支持部５の端部３２では、この端部３２が湾曲して形成されていて、図２中に示されているように好ましくは長手方向ｘにて延在する。この接触片支持部の端部３２では、板ばね３が変位方向ｚに対して１８０°以上程度湾曲されている。この板ばねは、僅かに大きい角度だけ湾曲されてもよい。板ばね３の端部３２の最後の部分は、長手方向の軸線に対して角度αを成して終端する。この角度αは、好ましくは少なくとも５°又は少なくとも１０°である。
【００４２】
１８０°以上程度湾曲させることによって、板ばね３が接触フィンガー２上に確実に設置でき、板ばね３用の長いレバーアームが実現され得る。板ばね３の接点及び力の伝達点が、ｘＦと記した長手座標で長手方向ｘに対して存在する。このｘＦは、接触片４の中心の長手座標ｘ１よりも固定端部３１から遠くに離れている。
【００４３】
長手方向ｘに指向している板ばねは、この長手方向ｘの座標ｘＬまで延在する。このｘＬは、固定端部３１，５１から隔てられた長手方向の座標ｘ１の側方に位置する。このｘ１は、この長手方向ｘの接触片４のこの長手方向ｘの座標の中心を示す。さらにｘＬは、固定端部３１，５１から隔てられたこの長手方向ｘの座標ｘ０の側方に位置する。このｘ０は、この長手方向ｘに指向している接触フィンガー２のこの長手方向ｘの座標の端部を示す。
【００４４】
接触片４は、図２中に示されているように長手方向ｘに接触片支持部５の接触端部５２と同一平面上に終端させる必要はない。接触片４は、接触片支持部５から長手方向ｘに突出させてもよいし又はこの接触片支持部５から上に突出させてもよい。しかし接触片４は、接触片支持部５の接触端部５２に接して配置されていて、この接触片４の長手方向の断面が、接触フィンガー１の大きさに対して良好な質量である。長手方向に指向している板ばね３が、接触片４のこの長手方向の座標の少なくとも中心ｘ１までこの長手方向ｘに延在する場合、この板ばね３の良好な電場制御の作用が既に得られる。
【００４５】
板ばね３を接触フィンガーー２上で直接支持する代わりに絶縁板上で支持する必要がない。板ばねが弾性力を大幅に失う程度に、この板ばね３が固定端部２から板ばね５２を通じて接触フィンガー２の接触端部５２に流れる分岐電流によって大きく加熱されないことを、実験とシミュレーションが実証している。板ばね３は、変位方向ｚの方向に湾曲させてもよい（図示せず）。このとき良好な電場制御を実現するため、少なくとも１８０°程度、良ければ２７０°以上湾曲させることが好ましい。板ばね３をその端部３２に対して変位方向ｚに対して湾曲させる場合、板ばね３を好ましくはその端部３１と端部３２との間で変位方向ｚに対して湾曲させてもよいし、及び／又はそこで（部分的にも）変位方向ｚに延在させてもよい。接触圧力を板ばね３によって接触フィンガー２に対して発生させることを簡単にするため、スペーサ手段（図示せず）を固定端部３１，５１で板ばね３と接触片支持部５との間に配置してもよい。
【００４６】
図２の接触フィンガーモジュール１は、１つ、２つ、３つ又は多数の接触フィンガー２及び板ばね３を有してもよい。接触フィンガーと板ばねを２つずつ有する特に好適な実施形が図３中に示されている。
【００４７】
図３は、図２に相当する接触フィンガーモジュール１を図２中の「ＩＩＩ」で示した方向から見た図である。２つの接触フィンガー２，２′が、フレキシブルな接触片支持部５，５′及び接触片４，４′を１つずつ有し、かつ上述したように接触フィンガー２，２′と連動する板ばね３，３′を有する。２つの接触フィンガー２，２′（又は正確には：２つの接触片支持部５，５′）は、好ましくは１つの共通の固定端部５１を有する。またこれらの２つの板ばね３，３′も、好ましくは１つの共通の固定端部３１を有する（図３中では図示せず）。
【００４８】
好ましくは、それぞれ２つの接触フィンガー２，２′及び２つの板ばね３，３′が同様に構成されていて好ましくは同様に作用する。接触フィンガー２は、１つの接触フィンガー２は、２つの部材又は多数の部材で構成してもよいが一体的に構成してもよい。閉じた状態で接触フィンガー２に連続して通電する電流は、一般に８０Ａ〜２００Ａ、特に１００Ａ〜１６０Ａである。これに応じて、２つの接触フィンガー２，２′を有する接触フィンガーモジュール１は、２倍の大きさの電流が流れる。
【００４９】
図２中にｙで示した横方向では、板ばね３，３′が、フレキシブルな接触片支持部５，５′に等しい幅か、それより広いか又は好ましくは僅かに広く構成され得る。
【図面の簡単な説明】
【００５０】
【図１】一部を断面にした本発明の開閉器モジュールを概略的に示す。
【図２】本発明の接触フィンガーモジュールの断面をその取り付けた状態で示す。
【図３】図２のＩＩＩ方向から見た図２の接触フィンガーモジュールを示す。
【符号の説明】
【００５１】
１        接触フィンガーモジュール
２，２′  接触フィンガー
３，３′  板ばね
３１      板ばねの固定端部
３２      板ばねの端部
４，４′  接触片
５，５′  フレキシブルな接触片支持部，薄板スタック
５１      フレキシブルな接触片支持部の固定端部
５２      フレキシブルな接触片支持部の接触端部
６        ラジアルリベット，旋回継手
６ａ      ワッシャ
７        孔、固定手段ホルダ
８        孔、固定手段ホルダ
１０ａ    開閉器駆動ハウジング
１０ｂ    消弧室駆動ハウジング
１１      分離管
１２      開閉器駆動部
１３      絶縁体
１４      絶縁体
１５      地面
ｘ        長手方向
ｘ０      長手方向の接触フィンガーの延在端部
ｘ１      長手方向の接触片の断面の中心部
ｘＦ      長手方向の力が加わる地点
ｘＬ 長手方向に指向している板ばねのこの長手方向の座標
ｙ        横方向
ｚ        変位方向
【図１】
0004541780.tif 000002
【図２】
0004541780.tif 000003
【図３】
0004541780.tif 000004